(57)【要約】【課題】移動端末で撮影した対象物の関連情報を自動的に提供し、対象物のある場所への入場料金を自動的に徴収する。【解決手段】本発明は、ユーザー端末１にて撮影された画像と類似する画像をデータベースから検索し、対応付けられている関連情報をユーザー端末１に送信する画像検索装置４と、ユーザー端末１の目的地への入場料金の決算処理を行う決算処理サーバ６と、決算処理が行われると、目的地の入口に設置されたゲート装置２ａにユーザー端末１の端末ＩＤを送信し、ユーザー端末１に決算済情報を送信する関連情報管理サーバ５と、目的地の入口に設置されたゲート装置２ａとを有する。ゲート装置２ａの読取手段は、ユーザー端末１が目的地の入口を通過した場合、ユーザー端末１から決算済情報が読み取られ、かつ、ユーザー端末１から読み取られた端末ＩＤと関連情報管理サーバ５からの端末ＩＤとが一致する場合に、ゲート装置２ａの通過を許可する。【選択図】図１
2008210364.tif 000002
【特許請求の範囲】
【請求項１】
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記移動端末に送信された関連情報に対応する対象物のある場所の入口に設置されたゲート装置を前記移動端末が通過する前に、当該対象物のある場所への入場料金の決算処理を行う決算処理手段と、
前記決算処理手段にて決算処理が行われると、前記移動端末に送信された関連情報に対応する対象物のある場所の入口に設置されたゲート装置に対し、当該移動端末の端末識別情報を送信し、前記移動端末に対し、決算済情報を送信する管理手段と、
前記複数の対象物のある場所の各々の入口に設置されたゲート装置に設けられ、当該入口を前記移動端末が通過するタイミングで、当該移動端末からの情報の読み取りを試行し、当該移動端末から前記決算済情報が読み取られ、かつ、当該移動端末から読み取られた端末識別情報と前記管理手段からゲート装置に送信されてきた端末識別情報とが一致する場合に、ゲート装置の通過を許可する読取手段と、を有する撮影画像利用システム。
【請求項２】
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記画像検索手段から前記移動端末に関連情報が送信されると、当該関連情報に対応する対象物のある場所の入口に設置されたゲート装置に対し、当該移動端末の端末識別情報を送信する管理手段と、
前記複数の対象物のある場所の各々の入口に設置されたゲート装置に設けられ、当該入口を前記移動端末が通過するタイミングで、当該移動端末からの情報の読み取りを試行し、当該移動端末から読み取られた端末識別情報と前記管理手段からゲート装置に送信されてきた端末識別情報とが一致する場合に、ゲート装置の通過を許可する読取手段と、
前記ゲート装置の通過が許可されると、前記移動端末に送信された関連情報に対応する対象物のある場所への入場料金の決算処理を行う決算処理手段と、を有する撮影画像利用システム。
【請求項３】
前記画像検索手段は、前記データベースから複数の画像が検索された場合、当該複数の画像に対して類似度に応じて優先順位を付与し、優先順位の最も高い画像に対応付けられている関連情報を前記移動端末に送信する、請求項１または２に記載の撮影画像利用システム。
【請求項４】
前記データベースは、前記複数の対象物ごとに、当該対象物の画像と当該対象物の関連情報の保管元である前記管理手段の所在情報とをさらに対応付けて登録し、
前記画像検索手段は、前記データベースから検索された画像に対応付けられている関連情報が存在しない場合、当該画像に対応付けられている所在情報を基に前記管理手段にアクセスして関連情報を取得する、請求項１から３のいずれか１項に記載の撮影画像利用システム。
【請求項５】
前記移動端末は、
対象物を撮影するカメラと、
画像検索ボタンと、
前記画像検索ボタンが押下されると、前記画像検索手段における被検索対象の画像として、前記カメラにて撮影された撮影画像を前記画像検索手段に送信する手段と、を有する請求項１から４のいずれか１項に記載の撮影画像利用システム。
【請求項６】
前記読取手段は、前記移動端末との間で可視光通信、赤外線通信、または非抵触通信を行うことで、当該移動端末から情報を読み取る、請求項１から５のいずれか１項に記載の撮影画像利用システム。
【請求項７】
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記移動端末および前記対象物が同じサービスエリアに在圏するか否かを判定し、同じサービスエリアに在圏すると判定した場合、前記移動端末および前記対象物が在圏する１以上のサービスエリアの通信回線のうち、使用回線が最も少ない通信回線または伝送速度が最も速い通信回線を選択する管理制御手段と、を有し、
前記画像検索手段は、前記管理制御手段により選択された通信回線にて、前記移動端末に関連情報を送信する、撮影画像利用システム。
【請求項８】
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記移動端末および前記対象物が同じサービスエリアに在圏するか否かを判定し、同じサービスエリアに在圏しないと判定した場合、前記移動端末が在圏する１以上のサービスエリアを優先して選択し、選択したサービスエリアの通信回線のうち、使用回線が最も少ない通信回線または伝送速度が最も速い通信回線を選択する管理制御手段と、を有し、
前記画像検索手段は、前記管理制御手段により選択された通信回線にて、前記移動端末に関連情報を送信する、撮影画像利用システム。
【請求項９】
前記サービスエリアは、２Ｇ、３Ｇ、４Ｇ、ＷＬＡＮ、ＷｉＭＡＸ、Ｗｉ−Ｆｉのサービスエリアを含む、請求項７または８に記載の撮影画像利用システム。
【請求項１０】
前記移動端末は、前記対象物の画像を刊行物に掲載するための当該画像の登録要求を前記管理手段に送信し、
前記管理手段は、当該画像の使用を許可する場合、前記移動端末に登録認識情報を送信する、請求項１から９のいずれか１項に記載の撮影画像利用システム。
【請求項１１】
前記画像検索手段から前記対象物の関連情報の内容が通知されるとともに、前記決算処理手段から決算処理の内容が通知され、前記画像検索手段から通知された前記対象物の関連情報の内容と前記決算処理手段から通知された決算処理の内容とを保存する情報処理手段をさらに有する、請求項１から１０のいずれか１項に記載の撮影画像利用システム。
【請求項１２】
移動端末にて撮影された対象物の撮影画像を利用する撮影画像利用方法であって、
画像検索手段が、複数の対象物ごとに、当該対象物の画像と当該対象物の関連情報とを対応付けてデータベースに登録する登録ステップと、
前記画像検索手段が、前記移動端末にて撮影された画像と類似する画像を前記データベースから検索し、検索された画像に対応付けられている関連情報を前記移動端末に送信する検索ステップと、
決算処理手段が、前記移動端末に送信された関連情報に対応する対象物のある場所の入口に設置されたゲート装置を前記移動端末が通過する前に、当該対象物のある場所への入場料金の決算処理を行う決算ステップと、
管理手段が、前記決算処理が行われると、前記移動端末に送信された関連情報に対応する対象物のある場所の入口に設置されたゲート装置に対し、当該移動端末の端末識別情報を送信し、前記移動端末に対し、決算済情報を送信する通知ステップと、
前記移動端末に送信された関連情報に対応する対象物のある場所の入口に設置されたゲート装置に設けられた読取手段が、当該入口を前記移動端末が通過するタイミングで、当該移動端末からの情報の読み取りを試行し、当該移動端末から前記決算済情報が読み取られ、かつ、当該移動端末から読み取られた端末識別情報と前記管理手段からゲート装置に送信されてきた端末識別情報とが一致する場合に、ゲート装置の通過を許可する読取ステップと、を有する撮影画像利用方法。
【請求項１３】
移動端末にて撮影された対象物の撮影画像を利用する撮影画像利用方法であって、
画像検索手段が、複数の対象物ごとに、当該対象物の画像と当該対象物の関連情報とを対応付けてデータベースに登録する登録ステップと、
前記画像検索手段が、前記移動端末にて撮影された画像と類似する画像を前記データベースから検索し、検索された画像に対応付けられている関連情報を前記移動端末に送信する検索ステップと、
管理手段が、前記画像検索手段から前記移動端末に関連情報が送信されると、当該関連情報に対応する対象物のある場所の入口に設置されたゲート装置に対し、当該移動端末の端末識別情報を送信する通知ステップと、
前記移動端末に送信された関連情報に対応する対象物のある場所の入口に設置されたゲート装置に設けられた読取手段が、当該入口を前記移動端末が通過するタイミングで、当該移動端末からの情報の読み取りを試行し、当該移動端末から読み取られた端末識別情報と前記管理手段からゲート装置に送信されてきた端末識別情報とが一致する場合に、ゲート装置の通過を許可する読取ステップと、
決算処理手段が、前記ゲート装置の通過が許可されると、前記移動端末に送信された関連情報に対応する対象物のある場所への入場料金の決算処理を行う決算ステップと、を有する撮影画像利用方法。
【請求項１４】
前記検索ステップでは、前記画像検索手段が、前記データベースから複数の画像が検索された場合、当該複数の画像に対して類似度に応じて優先順位を付与し、優先順位の最も高い画像に対応付けられている関連情報を前記移動端末に送信する、請求項１２または１３に記載の撮影画像利用方法。
【請求項１５】
前記登録ステップでは、前記画像検索手段が、前記複数の対象物ごとに、当該対象物の画像と当該対象物の関連情報の保管元である前記管理手段の所在情報とをさらに対応付けて前記データベースに登録し、
前記検索ステップでは、前記画像検索手段が、前記データベースから検索された画像に対応付けられている関連情報が存在しない場合、当該画像に対応付けられている所在情報を基に前記管理手段にアクセスして関連情報を取得する、請求項１２から１４のいずれか１項に記載の撮影画像利用方法。
【請求項１６】
前記移動端末が、対象物をカメラにより撮影するステップと、
前記移動端末が、当該移動端末の画像検索ボタンが押下されると、前記画像検索手段における被検索対象の画像として、前記カメラにて撮影された撮影画像を前記画像検索手段に送信するステップと、をさらに有する請求項１２から１５のいずれか１項に記載の撮影画像利用方法。
【請求項１７】
前記読取ステップでは、前記読取手段が、前記移動端末との間で可視光通信、赤外線通信、または非抵触通信を行うことで、当該移動端末から情報を読み取る、請求項１２から１６のいずれか１項に記載の撮影画像利用方法。
【請求項１８】
移動端末にて撮影された対象物の撮影画像を利用する撮影画像利用方法であって、
画像検索手段が、複数の対象物ごとに、当該対象物の画像と当該対象物の関連情報とを対応付けてデータベースに登録する登録ステップと、
前記画像検索手段が、前記移動端末にて撮影された画像と類似する画像を前記データベースから検索し、検索された画像に対応付けられている関連情報を前記移動端末に送信する検索ステップと、
管理制御手段が、前記移動端末および前記対象物が同じサービスエリアに在圏するか否かを判定し、同じサービスエリアに在圏すると判定した場合、前記移動端末および前記対象物が在圏する１以上のサービスエリアの通信回線のうち、使用回線が最も少ない通信回線または伝送速度が最も速い通信回線を選択するステップと、を有し、
前記検索ステップでは、前記画像検索手段が、前記管理制御手段により選択された通信回線にて、前記移動端末に関連情報を送信する、撮影画像利用方法。
【請求項１９】
移動端末にて撮影された対象物の撮影画像を利用する撮影画像利用方法であって、
画像検索手段が、複数の対象物ごとに、当該対象物の画像と当該対象物の関連情報とを対応付けてデータベースに登録する登録ステップと、
前記画像検索手段が、前記移動端末にて撮影された画像と類似する画像を前記データベースから検索し、検索された画像に対応付けられている関連情報を前記移動端末に送信する検索ステップと、
管理制御手段が、前記移動端末および前記対象物が同じサービスエリアに在圏するか否かを判定し、同じサービスエリアに在圏しないと判定した場合、前記移動端末が在圏する１以上のサービスエリアを優先して選択し、選択したサービスエリアの通信回線のうち、使用回線が最も少ない通信回線または伝送速度が最も速い通信回線を選択するステップと、を有し、
前記検索ステップでは、前記画像検索手段が、前記管理制御手段により選択された通信回線にて、前記移動端末に関連情報を送信する、撮影画像利用方法。
【請求項２０】
前記サービスエリアは、２Ｇ、３Ｇ、４Ｇ、ＷＬＡＮ、ＷｉＭＡＸ、Ｗｉ−Ｆｉのサービスエリアを含む、請求項１８または１９に記載の撮影画像利用方法。
【請求項２１】
前記移動端末が、前記対象物の画像を刊行物に掲載するための当該画像の登録要求を前記管理手段に送信するステップと、
前記管理手段が、当該画像の使用が許可された場合、前記移動端末に登録認識情報を送信するステップと、をさらに有する、請求項１２から２０のいずれか１項に記載の撮影画像利用方法。
【請求項２２】
前記画像検索手段が、前記対象物の関連情報の内容を情報処理手段に通知するステップと、
前記決算処理手段が、決算処理の内容を前記情報処理手段に通知するステップと、
前記情報処理手段が、前記画像検索手段から通知された前記対象物の関連情報の内容と前記決算処理手段から通知された決算処理の内容とを保存するステップと、をさらに有する、請求項１２から２１のいずれか１項に記載の撮影画像利用方法。
【発明の詳細な説明】
【技術分野】
【０００１】
本発明は、移動端末で撮影した撮影画像を利用する撮影画像利用システムおよび撮影画像利用方法に関する。
【背景技術】
【０００２】
近年、携帯電話機等の移動端末は、その機能が著しく充実してきたことに伴い、様々な分野で利用されるようになっている。
【０００３】
例えば、特許文献１には、携帯電話機を利用した物品関連情報提供システムが記載されている。これによれば、携帯電話機が、広告等に貼付されたＲＦＩＤタグの情報を読み取り、その広告等に掲載された物品の関連情報を物品関連情報提供サーバに要求すると、物品関連情報提供サーバがデータベースを検索して関連情報を携帯電話機に送信する。
【０００４】
また、特許文献２には、携帯電話機を利用した電車運賃徴収システムが記載されている。これによれば、ユーザーが携帯電話機を携帯して自動改札機を通過するタイミングで、自動改札機は、携帯電話機に内蔵されたＩＣチップ内から非接触で乗車券を読み取り、乗車券の認証結果が正常であれば乗降情報をＩＣチップ内に非接触で書き込んだ後、ユーザーの通過を許可する。鉄道会社側サーバは、一定期間毎に携帯電話機の乗降情報の送信を要求し、携帯電話機から送信されてきた乗降情報を基にユーザーの運賃を決算する。
【特許文献１】特開２００５−１８２６７６号公報
【特許文献２】特開２００３−０７７０１９号公報
【特許文献３】特開２００３−２５９４５７号公報
【発明の開示】
【発明が解決しようとする課題】
【０００５】
ところで、現在、ほとんどの移動端末には、カメラ機能が備えられており、ユーザーは、興味のある建物等の対象物を発見すると、その対象物を被写体として撮影しその撮影画像を収めておくケースが増えている。
【０００６】
したがって、今後は、ユーザー側から、移動端末で撮影した対象物に関連する関連情報を取得したいという要求が増えると考えられる。
【０００７】
しかしながら、特許文献１に記載の物品関連情報提供システムは、関連情報を取得できる対象物が、ＲＦＩＤタグが貼付された広告等に掲載されている物品に限定されているため、移動端末で撮影した対象物の関連情報を取得することはできない。
【０００８】
また、ユーザーは、移動端末で撮影した対象物の関連情報を取得できるようになると、その関連情報を見た上で、その対象物のある場所に行くケースが増えると考えられる。ただし、対象物がある場所に入場するのに入場料金が必要な場合があり、そのような場合に、自動的に入場料金が支払われる仕組みがあればユーザーにとって便宜が良い。
【０００９】
したがって、今後は、ユーザー側から、移動端末で撮影した対象物がある場所への入場料金を自動的に徴収してほしいという要求が増えると考えられる。
【００１０】
しかしながら、特許文献２に記載の電車運賃徴収システムは、電車運賃の徴収に限定されているため、対象物がある場所への入場料金を徴収することはできない。
【００１１】
そこで、本発明の目的は、移動端末で撮影した対象物の関連情報を自動的に提供することができるとともに、その対象物のある場所への入場料金を自動的に徴収することができる撮影画像利用システムおよび撮影画像利用方法を提供することにある。
【課題を解決するための手段】
【００１２】
上記目的を達成するために本発明の第１の態様の撮影画像利用システムは、
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記移動端末に送信された関連情報に対応する対象物のある場所の入口に設置されたゲート装置を前記移動端末が通過する前に、当該対象物のある場所への入場料金の決算処理を行う決算処理手段と、
前記決算処理手段にて決算処理が行われると、前記移動端末に送信された関連情報に対応する対象物のある場所の入口に設置されたゲート装置に対し、当該移動端末の端末識別情報を送信し、前記移動端末に対し、決算済情報を送信する管理手段と、
前記複数の対象物のある場所の各々の入口に設置されたゲート装置に設けられ、当該入口を前記移動端末が通過するタイミングで、当該移動端末からの情報の読み取りを試行し、当該移動端末から前記決算済情報が読み取られ、かつ、当該移動端末から読み取られた端末識別情報と前記管理手段からゲート装置に送信されてきた端末識別情報とが一致する場合に、ゲート装置の通過を許可する読取手段と、を有することを特徴とする。
【００１３】
この構成によれば、移動端末を使用するユーザーは、移動端末で撮影した対象物の関連情報を自動的に取得することができ、また、その関連情報を見てその対象物のある場所に行く場合、その場所の入口に設置されたゲート装置を通過する前に、入場料金が自動的に徴収される。
【００１４】
上記目的を達成するために本発明の第２の態様の撮影画像利用システムは、
移動端末にて撮影された対象物の撮影画像を利用する撮影画像利用システムであって、
複数の対象物ごとに、当該対象物の画像と当該対象物の関連情報とを対応付けて登録するデータベースと、
前記移動端末にて撮影された画像と類似する画像を前記データベースから検索し、検索された画像に対応付けられている関連情報を前記移動端末に送信する画像検索手段と、
前記画像検索手段から前記移動端末に関連情報が送信されると、当該関連情報に対応する対象物のある場所の入口に設置されたゲート装置に対し、当該移動端末の端末識別情報を送信する管理手段と、
前記複数の対象物のある場所の各々の入口に設置されたゲート装置に設けられ、当該入口を前記移動端末が通過するタイミングで、当該移動端末からの情報の読み取りを試行し、当該移動端末から読み取られた端末識別情報と前記管理手段からゲート装置に送信されてきた端末識別情報とが一致する場合に、ゲート装置の通過を許可する読取手段と、
前記ゲート装置の通過が許可されると、前記移動端末に送信された関連情報に対応する対象物のある場所への入場料金の決算処理を行う決算処理手段と、を有することを特徴とする。
【００１５】
この構成によれば、移動端末を使用するユーザーは、移動端末で撮影した対象物の関連情報を自動的に取得することができ、また、その関連情報を見てその対象物のある場所に行く場合、その場所の入口に設置されたゲート装置を通過する際に、入場料金が自動的に徴収される。
【発明の効果】
【００１６】
本発明によれば、移動端末を使用するユーザーは、移動端末で撮影した対象物の関連情報を自動的に取得することができ、また、その関連情報を見てその対象物のある場所に行く場合、その場所への入場料金が自動的に徴収されるという効果が得られる。
【発明を実施するための最良の形態】
【００１７】
以下に、本発明を実施するための最良の形態について図面を参照して説明する。
【００１８】
（第１の実施形態）
図１は、本発明の第１の実施形態の撮影画像利用システムの構成を示す図である。
【００１９】
図１に示すように、本実施形態の撮影画像利用システムは、ユーザー端末１と、対象物（被写体）２がある場所に設置されたゲート装置２ａと、ネットワーク３と、画像検索装置４と、関連情報管理サーバ５と、決算処理サーバ６と、を有している。なお、図１においては、対象物２を東京タワーとしている。
【００２０】
ユーザー端末１は、ＲＦＩＤタグ１９（図４および図７参照）と、カメラ（図７参照）とを有する、携帯電話機、ＰＨＳ（簡易型携帯電話機）、携帯情報端末（ＰＤＡ：Personal Digital Assistant）等の移動端末である。また、ユーザー端末１には、デジタルカメラに接続して使用される移動端末も含まれる。また、ユーザー端末１は、画像検索ボタン１ａ（図４参照）を有している。
【００２１】
対象物２は、実物でも良いし、公告、新聞、雑誌、本、印刷物等の刊行物に掲載されている物でも良い。さらに、対象物２は、テレビやパソコンの画面に表示されている物でも良い。
【００２２】
ゲート装置２ａは、建物、駅、博物館、動物園、遊園地、コンサート会場等である対象物のある場所の入口に設置されるものである。ここで言う入口は、出口も兼ねた出入り口でも良い。ゲート装置２ａは、ユーザーがユーザー端末１を携帯してゲート装置２ａを通過するタイミングで、ユーザー端末１のＲＦＩＤタグ１９からの情報の読み取りを行うＲＦＩＤリーダやセンサー等の読取手段が設けられており、その読み取り結果に応じてユーザー端末１の通過が許可される。ゲート装置２ａは、自動ドア、受付案内板、監視カメラ等でも良い。また、読取手段は、ユーザー端末１と可視光通信、赤外線通信、または非抵触通信等を行うことで、ＲＦＩＤタグ１９からの情報を読み取るものでも良い。
【００２３】
ネットワーク３は、インターネット等であり、対象物２の画像や関連情報等のやり取りが行われる。
【００２４】
画像検索装置４は、建物、駅、博物館、動物園、遊園地、コンサート会場等である対象物ごとに、その対象物の画像（写真）と、その対象物の関連情報と、その関連情報の保管元である関連情報管理サーバ５の所在を表す所在情報であるＵＲＬ又はＥ−ｍａｉｌアドレスと、が対応付けて登録されている画像情報データベース４１（図５参照）を備えている。なお、画像情報データベース４１は、必ずしも画像検索装置４に設ける必要はなく、画像検索装置４から利用可能な状態でネットワーク３上に存在していても良い。ユーザー端末１から対象物２の画像が送信されてくると、画像検索装置４は、対象物２の画像に類似する画像を画像情報データベース４１から検索する。検索された画像に関連情報が対応付けられていれば、画像検索装置４は、検索された画像に関連情報を合成してユーザー端末１へ送信する。また、検索された画像に関連情報が対応付けられていなければ、画像検索装置４は、検索された画像に対応付けられているＵＲＬ又はＥ−ｍａｉｌアドレスを基に、関連情報の保管元である関連情報管理サーバ５へ自動的にアクセスして関連情報の送信要求を行う。関連情報管理サーバ５から関連情報を受信すると、画像検索装置４は、検索された画像に関連情報を合成してユーザー端末１へ送信し、また、その最新の関連情報を画像情報データベース４１に登録する。また、画像検索装置４は、画像情報データベース４１から複数の画像が検索された場合、複数の画像の各々に対し類似度に応じて優先順位を付与し、複数の画像を優先順位の高い順番に並び替え、優先度の最も高い画像とその画像に対応付けられている関連情報とを合成してユーザー端末１へ送信する。
【００２５】
関連情報管理サーバ５は、画像情報データベース４１に登録されている画像に対応する対象物の関連情報を保管し、その関連情報をＷｅｂサイトにおいて提供する。すなわち、関連情報管理サーバ５は、画像検索装置４から関連情報の送信要求を受けると、要求された関連情報を画像検索装置４へ送信する。また、関連情報管理サーバ５は、ユーザー端末１が対象物のある場所に移動する場合、その場所の入口に設置されたゲート装置２ａへ予約情報を送信し、また、決算処理サーバ６にて対象物のある場所への入場料金の決算処理が行われた場合、ユーザー端末１へ決算済情報を送信する。
【００２６】
決算処理サーバ６は、ユーザー端末１が対象物のある場所に移動する場合の入場料金の決算処理を行って、ユーザーから入場料金を徴収する。具体的には、決算処理サーバ６は、ユーザー端末１を使用するユーザーの口座から入場料金に相当する金額を引き落とし、関連情報管理サーバ５を運営する会社の口座に振り込む。なお、決算処理は、ユーザー端末１が対象物のある場所に到達する前に事前に行うか、または、ユーザー端末１が対象物のある場所の入口に設置されたゲート装置２ａを通過する際に行う。
【００２７】
図２は、ユーザー端末１による撮影動作の一例を説明する図である。
【００２８】
図２に示す例では、ユーザー端末１は、実物の東京タワーを対象物２として撮影している。
【００２９】
図３に、ユーザー端末１による撮影動作の他の例を説明する図である。
【００３０】
図３に示す例では、ユーザー端末１は、刊行物である本２１に掲載されている東京タワーを対象物２として撮影している。
【００３１】
図４は、ユーザー端末１の機能を説明する図である。
【００３２】
図４に示すように、ユーザー端末１は、画像検索装置４に対し、対象物２の画像の検索要求を行うための画像検索ボタン１ａを備えている。画像検索ボタン１ａが押下されると、対象物２に類似する画像とその画像に対応する関連情報とが画像検索装置４から自動的に送信されてくる。また、ユーザー端末１は、ユーザー端末１を識別する端末識別情報である端末ＩＤや決算済情報等が登録されるＲＦＩＤタグ１９を備えている。なお、このＲＦＩＤタグ１９に画像検索装置４から受信した画像と関連情報を登録することも可能である。
【００３３】
図５は、画像検索装置４の構成を示すブロック図である。
【００３４】
図５に示すように、画像検索装置４は、画像情報データベース４１と、画像抽出部４２と、画像検索部４３と、合成部４４と、を有している。
【００３５】
画像情報データベース４１には、建物、駅、博物館、動物園、遊園地、コンサート会場等である対象物ごとに、その対象物の画像（写真）と、その対象物の関連情報と、その関連情報の保管元である関連情報管理サーバ５のＵＲＬ又はＥ−ｍａｉｌアドレスと、が対応付けて登録されている。また、画像情報データベース４１には、これらの情報が、対象物の種類（場所、人等）ごとに登録されている。
【００３６】
画像抽出部４２は、ユーザー端末１から対象物２を撮影した画像を受信すると、その対象物２の画像の特徴部分を抽出し、その対象物２の種類（場所、人等）を特定する。なお、画像の特徴部分は、その特徴部分の色、形、サイズ、位置等を基に判断される。
【００３７】
画像検索部４３は、画像情報データベース４１に登録されている画像のうち対象物２と同一種類の画像を対象とし、対象物２の画像の特徴部分の位置を移動、拡大、縮小などして、その特徴部分の色、形、サイズ、位置を比較することにより、対象物２の画像に類似する画像を検索する。検索された画像に対応付けてある関連情報が存在すれば、画像検索部４３は、その関連情報を検索された画像とともに合成部４４に渡す。一方、検索された画像に対応付けてある関連情報が存在しなければ、画像検索部４３は、検索された画像に対応付けてあるＵＲＬ又はＥ−ｍａｉｌアドレスを基に、関連情報の保管元である関連情報管理サーバ５へ自動的にアクセスして関連情報の送信要求を行う。関連情報管理サーバ５から関連情報を受信すると、画像検索部４３は、その関連情報を検索された画像とともに合成部４４に渡し、その最新の関連情報を画像情報データベース４１に登録する。
【００３８】
合成部４４は、画像検索部４３から渡された画像と関連情報とを合成してユーザー端末１へ送信する。
【００３９】
図６は、画像情報データベース４１に登録された画像情報の一例を示す図である。
【００４０】
図６に示す例では、画像情報データベース４１には、対象物ごとに、その対象物の画像（写真）と、その対象物の名称と、その対象物のＱＲコード化された関連情報と、その関連情報の保管元である関連情報管理サーバ５のＵＲＬおよびＥ−ｍａｉｌアドレスと、が対応付けて登録されている。
【００４１】
また、画像検索部４３は、画像情報データベース４１からの検索が終了すると、検索された画像の各々に対象物２の画像との類似度に応じて優先順位を付与し、検索された画像を優先順位の高い順番に並び替える。
【００４２】
例えば、優先順位が１番高い東京タワーの画像には、「東京タワー」という名称と、「http://www.toukyoutawer…」というＵＲＬおよび「toukyoutawer@ab.jp…」というＥ−ｍａｉｌアドレスと、ＱＲコード化された関連情報とが対応付けてある。よって、画像検索部４３は、東京タワーの画像とともに、ＱＲコード化された関連情報を解読したものを合成部４４に渡すことになる。
【００４３】
図７は、ユーザー端末１の構成を示すブロック図である。
【００４４】
図７に示すように、ユーザー端末１は、アンテナ１１と、送受信部１２と、制御部１３と、カメラ１４と、スピーカー１５と、表示部１６と、記憶部１７と、操作部１８と、ＲＦＩＤタグ１９と、を有している。
【００４５】
操作部１８は、ユーザーが操作を行う部分であり、画像検索ボタン１ａも含まれる。
【００４６】
アンテナ１１は、不図示の無線基地局と無線通信するためのアンテナである。即ち、ユーザー端末１は、アンテナ１１を用いて無線基地局と無線通信を行うことでネットワーク３と接続し、ネットワーク３経由で画像検索装置４や決算処理サーバ６等との通信が可能となる。
【００４７】
送受信部１２は、画像検索装置４との間では、画像検索ボタン１ａが押下されたタイミングで対象物２を撮影した画像を送信し、これに対する画像と関連情報を受信する。また、送受信部１２は、決算処理サーバ６との間では、対象物のある場所へ行くことに決定した場合にはその旨の情報を送信し、対象物のある場所への入場料金が決算された場合にはその旨の決算済情報を受信する。
【００４８】
カメラ１４は、対象物２を撮影する。
【００４９】
スピーカー１５は、通話音声等を出力し、また、表示部１６は、画像検索装置から受信した画像と関連情報等を画面に表示する。
【００５０】
記憶部１７は、画像検索装置４から受信した画像と関連情報を記憶する。
【００５１】
ＲＦＩＤタグ１９は、ユーザー端末１の端末ＩＤや、決算処理サーバ６から受信した決算済情報等が登録される。なお、画像検索装置から受信した画像と関連情報は、ＲＦＩＤタグ１９に登録しても良い。
【００５２】
制御部１３は、ユーザー端末１内の各構成要素の制御を行う。
【００５３】
図８は、ユーザー端末１の画面に表示される画像検索結果の一例を示す図である。
【００５４】
図８に示す例では、ユーザー端末１の画面には、画像検索装置４から受信した画像検索結果として、対象物である東京タワーの画像と関連情報が表示される。また、その画面上では対象物のある場所に行くこと、即ち、その場所に入場するための入場料金の決算処理をすることを決定することが可能である。
【００５５】
図９は、ユーザー端末１がゲート装置２ａを通過することを許可する動作の一例を説明する図である。
【００５６】
図９に示す例では、ゲート装置２ａが自動ドアであり、ユーザー端末１からの情報の読み取りを行う読取手段としてＲＦＩＤリーダ７が設けられている。
【００５７】
例えば、ユーザー端末１が目的地の入口に設置されたゲート装置２ａを通過する前に、入場料金の決算処理をすることを前提とした場合を考える。
【００５８】
この場合、関連情報管理サーバ５は、決算処理サーバ６による決算処理が終了した時点で、ユーザー端末１が目的地としている対象物のある場所の入口に設置されたゲート装置２ａに対し、ユーザー端末１の端末ＩＤを含む予約情報を送信し、ユーザー端末１に対し、決算済情報を送信する。
【００５９】
そのため、ＲＦＩＤリーダ７は、ユーザー端末１が入口を通過するタイミングで、ユーザー端末１からの情報の読み取りを試行し、ユーザー端末１から決算済情報が読み取られ、かつ、ユーザー端末１から読み取られた端末ＩＤと関連情報管理サーバ５からゲート装置２ａに送信されてきた予約情報に含まれる端末ＩＤとが一致する場合に、ユーザー端末１によるゲート装置２ａの通過を許可することとし、ゲート装置２ａが開く。
【００６０】
他方、ユーザー端末１が目的地の入口に設置されたゲート装置２ａを通過する際に入場料金の決算処理をすることを前提とする場合を考える。
【００６１】
この場合、関連情報管理サーバ５は、画像検索装置４からユーザー端末１に画像と関連情報が送信された時点で、ユーザー端末１が目的地としている対象物のある場所の入口に設置されたゲート装置２ａに対し、ユーザー端末１の端末ＩＤを含む予約情報を送信する。
【００６２】
そのため、ＲＦＩＤリーダ７は、ユーザー端末１が入口を通過するタイミングで、ユーザー端末１からの情報の読み取りを試行し、ユーザー端末１から読み取られた端末ＩＤと関連情報管理サーバ５からゲート装置２ａに送信されてきた予約情報に含まれる端末ＩＤとが一致する場合に、ユーザー端末１によるゲート装置２ａの通過を許可することとし、ゲート装置２ａが開く。
【００６３】
図１０は、ユーザー端末１がゲート装置２ａを通過することを許可する動作の他の例を説明する図である。
【００６４】
図１０に示す例では、ゲート装置２ａが受付案内板７２である。本例の処理は、図９と同じであるため、説明を省略する。
【００６５】
以下、本実施形態の撮影画像利用システムの全体動作について説明する。
【００６６】
最初に、ユーザー端末１が目的地の入口に設置されたゲート装置２ａを通過する前に入場料金の決算処理をすることを前提とした場合の全体動作について説明する。
【００６７】
図１１は、ユーザー端末１が目的地の入口に設置されたゲート装置２ａを通過する前に、入場料金の決算処理をすることを前提とした場合の全体動作を説明するフローチャートであり、図１２は、図１１の動作を模式的に説明する図である。
【００６８】
図１１および図１２に示すように、まず、ユーザー端末１は、カメラ１４により対象物２を被写体として撮影し、画像検索ボタン１ａが押下されると、送受信部１２により対象物２の画像を画像検索装置４へ送信する（ステップＡ１）。
【００６９】
次に、画像検索装置４は、画像検索部４３により対象物２の画像と類似する画像を画像情報データベース４１から検索する。その結果、検索された画像に対応付けられた関連情報が存在すれば、画像検索装置４は、合成部４４により画像と関連情報とを合成してユーザー端末１へ送信する（ステップＡ４）。一方、検索された画像に対応付けられた関連情報が存在しなければ、画像検索装置４は、画像検索部４３により検索された画像に対応付けられたＵＲＬ又はＥ−ｍａｉｌアドレスを基に関連情報管理サーバ５へ関連情報の送信要求を行う（ステップＡ２）。これを受けて、関連情報管理サーバ５は、画像検索装置４から要求された画像の関連情報を抽出して画像検索装置４に送信する（ステップＡ３）。関連情報管理サーバ５から関連情報が受信されると、画像検索装置４は、画像検索部４３により関連情報を画像情報データベース４１に登録し、また、合成部４４により画像と関連情報とを合成してユーザー端末１へ送信する（ステップＡ４）。
【００７０】
これにより、ユーザー端末１は、対象物の関連情報を自動的に取得することができる。
【００７１】
ここで、ユーザーが、図８に示すようなユーザー端末１の画面上で、対象物の関連情報を見て、その対象物のある場所に行くこと、即ち、その場所に入場するための入場料金の決算処理をすることを決定したとする。すると、ユーザー端末１は、送受信部１２によりその旨を決算処理サーバ６に通知する（ステップＡ５）。
【００７２】
次に、決算処理サーバ６は、ユーザー端末１を使用するユーザーの口座から入場料金に相当する金額を引き落とし、関連情報管理サーバ５を運営する会社の口座に振り込むことにより、入場料金の決算処理を行う（ステップＡ６）。
【００７３】
次に、関連情報管理サーバ５は、決算処理されたことを表す決算済情報をユーザー端末１に送信する（ステップＡ７）。この決算済情報は、端末ＩＤとともにユーザー端末１のＲＦＩＤタグ１９に登録される。さらに、関連情報管理サーバ５は、ユーザー端末１により入場の予約がなされたことを表す予約情報を、ユーザー端末１が目的地としている対象物のある場所の入口に設置されたゲート装置２ａに送信する（ステップＡ８）。この予約情報は、ユーザー端末１の端末ＩＤを含むもので、ゲート装置２ａに設けられたＲＦＩＤリーダ７に登録される。
【００７４】
以降、ユーザーがユーザー端末１の画面上で関連情報を見て目的地へ移動すると、ユーザー端末１を携帯したユーザーが目的地の入口を通過するタイミングで、ＲＦＩＤリーダ７は、ユーザー端末１からの情報の読み取りを試行する。そして、ユーザー端末１から決算済情報が読み取られ、かつ、ユーザー端末１から読み取られた端末ＩＤと関連情報管理サーバ５からゲート装置２ａに送信されてきた予約情報に含まれる端末ＩＤとが一致する場合に、ＲＦＩＤリーダ７は、ユーザー端末１によるゲート装置２ａの通過を許可することとし、ゲート装置２ａが開く。
【００７５】
その後、ユーザー端末１を携帯したユーザーは、ゲート装置２ａを通過する（ステップＡ９）。
【００７６】
なお、ユーザー端末１は、ステップＡ４で画像検索装置４から受信した画像と関連情報を、ＲＦＩＤタグ１９に登録しておき、一定期間が経過しても、ステップＡ５の目的地へ移動する旨の決定がされない場合は、移動を中止したと判断し、以降にその旨の決定がなされても、決算処理サーバ６への通知をしないことにすることができる。
【００７７】
また、関連情報管理サーバ５は、目的地にゲート装置２ａが複数設置されている場合、ステップＡ８で複数のゲート装置２ａの各々に予約情報を送信することができる。これにより、ユーザーは、複数のゲート装置２ａを全て通過することができる。
【００７８】
次に、ユーザー端末１が目的地の入口に設置されたゲート装置２ａを通過する際に入場料金の決算処理をすることを前提とした場合の全体動作について説明する。
【００７９】
図１３は、ユーザー端末１が目的地の入口に設置されたゲート装置２ａを通過する際に入場料金の決算処理をすることを前提とした場合の全体動作を説明するフローチャートである。
【００８０】
図１３に示すように、まず、ユーザー端末１は、カメラ１４により対象物２を被写体として撮影し、画像検索ボタン１ａが押下されると、送受信部１２により対象物２の画像を画像検索装置４へ送信する（ステップＢ１）。
【００８１】
次に、画像検索装置４は、画像検索部４３により対象物２の画像と類似する画像を画像情報データベース４１から検索する。その結果、検索された画像に対応付けられた関連情報が存在すれば、画像検索装置４は、合成部４４により画像と関連情報とを合成してユーザー端末１へ送信する（ステップＢ４）。一方、検索された画像に対応付けられた関連情報が存在しなければ、画像検索装置４は、画像検索部４３により検索された画像に対応付けられたＵＲＬ又はＥ−ｍａｉｌアドレスを基に関連情報管理サーバ５へ関連情報の送信要求を行う（ステップＢ２）。これを受けて、関連情報管理サーバ５は、画像検索装置４から要求された画像の関連情報を抽出して画像検索装置４に送信する（ステップＢ３）。関連情報管理サーバ５から関連情報が受信されると、画像検索装置４は、画像検索部４３により関連情報を画像情報データベース４１に登録し、また、合成部４４により画像と関連情報とを合成してユーザー端末１へ送信する（ステップＢ４）。
【００８２】
これにより、ユーザー端末１は、対象物の関連情報を自動的に取得することができる。
【００８３】
次に、画像検索装置４は、画像と関連情報とをユーザー端末１へ送信した旨を、合成部４４により関連情報管理サーバ５に通知する（ステップＢ５）。
【００８４】
次に、関連情報管理サーバ５は、ユーザー端末１により対象物のある場所を目的地とし、その目的地への入場の予約がなされたと判断し、そのことを表す予約情報を、ユーザー端末１が目的地としている対象物のある場所の入口に設置されたゲート装置２ａに送信する（ステップＢ６）。この予約情報は、ユーザー端末１の端末ＩＤを含むもので、ゲート装置２ａに設けられたＲＦＩＤリーダ７に登録される。
【００８５】
以降、ユーザーがユーザー端末１の画面上で関連情報を見て目的地へ移動すると、ユーザー端末１を携帯したユーザーが目的地の入口を通過するタイミングで、ＲＦＩＤリーダ７は、ユーザー端末１からの情報の読み取りを試行する。そして、ユーザー端末１から読み取られた端末ＩＤと関連情報管理サーバ５からゲート装置２ａに送信されてきた予約情報に含まれる端末ＩＤとが一致する場合に、ＲＦＩＤリーダ７は、ユーザー端末１によるゲート装置２ａの通過を許可することとし、ゲート装置２ａが開く。
【００８６】
これにより、ユーザー端末１を携帯したユーザーは、ゲート装置２ａを通過する（ステップＢ７）。また、ゲート装置２ａは、ユーザー端末１によるゲート装置２ａの通過を許可した旨を、決算処理サーバ６に通知する（ステップＢ８）。
【００８７】
次に、決算処理サーバ６は、ユーザー端末１を使用するユーザーの口座から入場料金に相当する金額を引き落とし、関連情報管理サーバ５を運営する会社の口座に振り込むことにより、入場料金の決算処理を行う（ステップＢ９）。
【００８８】
その後、関連情報管理サーバ５は、決算処理されたことを表す決算済情報をユーザー端末１に送信する（ステップＢ１０）。
【００８９】
なお、ゲート装置２ａは、ステップＢ６で関連情報管理サーバ５から予約情報とともに画像と関連情報を受信してＲＦＩＤリーダ７に登録しておき、一定期間が経過しても、ステップＢ７でゲート装置２ａを通過しない場合は、移動を中止したと判断し、以降にゲート装置２ａを通過しても、決算処理サーバ６への通知をしないことにすることができる。
【００９０】
また、関連情報管理サーバ５は、目的地にゲート装置２ａが複数設置されている場合、ステップＢ６で複数のゲート装置２ａの各々に予約情報を送信することができる。これにより、ユーザーは、複数のゲート装置２ａを全て通過することができる。
【００９１】
上述したように本実施形態においては、ユーザー端末１が対象物２の画像を送信した際に、画像検索装置４は、対象物２の画像と類似する画像を画像情報データベース４１から検索し、検索された画像に対応付けられた関連情報を対象物２の画像と合成してユーザー端末１へ送信する。また、決算処理サーバ６は、ユーザー端末１が対象物２のある場所に行く場合、その場所の入口に設置されたゲート装置２ａを通過する前または通過する際に、入場料金を徴収する。
【００９２】
したがって、ユーザーは、ユーザー端末１で撮影した対象物２の関連情報を自動的に取得することができ、また、その関連情報を見てその対象物２のある場所に行く場合、その場所の入口に設置されたゲート装置２ａを通過する前または通過する際に、入場料金が自動的に徴収されるという効果が得られる。
【００９３】
（第２の実施形態）
図１４は、本発明の第２の実施形態の撮影画像利用システムの構成を示す図である。
【００９４】
図１４に示すように、本実施形態の撮影画像利用システムは、図１に示した第１の実施形態と比較すると、管理制御装置８および情報処理装置１４４を設けた点が異なる。なお、図１４においては、決算処理サーバ６が省略されている。
【００９５】
図１４に示すように、対象物（東京タワーの実物）２から遠く離れた場所（東京タワーが存在するエリアとは異なるエリア内。例えば、沖縄にある図書館）で、対象物（本、新聞、記事、雑誌などに掲載された東京タワー）２を撮影して必要な情報を得るためのネットワーク通信を行うよりも、対象物（東京タワーの実物）２から近い場所（東京タワーが存在するエリアと同じエリア内）で、対象物（東京タワーの実物）２を撮影して必要な情報を得るためのネットワーク通信を行う頻度の方が高いと考えられる。
【００９６】
そのため、対象物（東京タワーの実物）２から近い場所（東京タワーが存在するエリアと同じエリア内）では、ユーザー端末１による通信が集中し、ネットワーク３上の各装置に接続し難くなる。また、必要な情報データのダウンロードに時間が掛かってしまう。更に、対象物（東京タワーの実物）２が存在するエリア内はリソース不足となる。
【００９７】
ところで、近年、移動端末の通信方式としては、２Ｇ（second generation）、３Ｇ（third generation）のＷ−ＣＤＭＡ（Wideband-Code Division Multiple Access）、４Ｇ（fourth generation）、ＷＬＡＮ（Wireless Local Area Network）、ＷｉＭＡＸ（Worldwide Interoperability for Microwave Access）、Ｗｉ−Ｆｉ（Wireless Fidelity）等の通信方式が実用化されており、それら複数の通信方式を１つのユーザー端末で使用可能とする技術も提案されている。その一例として、マルチサービス端末が自局位置を検出し、その位置情報を管理サーバに送ることで得た利用可能な無線システムの情報を基に、利用可能な無線システムの中から選択条件に最適な無線システムを選択して使用する方法がある（例えば、特許文献３参照）。
【００９８】
しかしながら、特許文献３に開示された技術は、撮影した対象物の位置情報や撮影したユーザー端末の位置情報によるサービスエリア内の通信回線を選択するものではない。
【００９９】
そこで、本実施形態の撮影画像利用システムは、図１４に示すような問題を改善するために、次のような構成となっている。
【０１００】
なお、図１４において、東京都港区にある対象物（東京タワーの実物）２とユーザー端末１Ａは、Ｗ−ＣＤＭＡ基地局１０ａを中心としたＷ−ＣＤＭＡのサービスエリア（以下、Ｗ−ＣＤＭＡエリアと称す）とＷｉＭＡＸ基地局９ａを中心としたＷｉＭＡＸのサービスエリア（以下、ＷｉＭＡＸエリアと称す）に跨って在圏するものとする。また、沖縄にある図書館の対象物（刊行物）２とユーザー端末１Ｂは、Ｗ−ＣＤＭＡ基地局１０ｂを中心としたＷ−ＣＤＭＡエリアに在圏するものとする。
【０１０１】
ユーザー端末１Ａ，１Ｂは、対象物２を撮影すると、対象物２の画像をネットワーク３を経由して画像検索装置４に送信する。また、ユーザー端末１Ａ，１Ｂは、ＧＰＳ機能を有しており、人工衛星１００により自動的に位置情報を取得し、その位置情報を対象物２の画像と同時に画像検索装置４に送信する。
【０１０２】
画像検索装置４は、対象物２の画像送信元のユーザー端末と対象物（東京タワーの実物）２の位置情報をネットワーク３を経由して管理制御装置８に送信する。
【０１０３】
管理制御装置８は、画像送信元のユーザー端末と対象物（東京タワーの実物）２と各サービスエリアの基地局の位置情報を基に、画像送信元のユーザー端末と対象物（東京タワーの実物）２が同じサービスエリアに在圏するか否かを判定する。
【０１０４】
管理制御装置８は、画像送信元のユーザー端末と対象物（東京タワーの実物）２が同じサービスエリアに在圏すると判定した場合は、画像送信元のユーザー端末と対象物（東京タワーの実物）２が在圏するＷｉＭＡＸエリアおよびＷ−ＣＤＭＡエリアの通信回線の状況を確認し、ＷｉＭＡＸエリアおよびＷ−ＣＤＭＡエリアの通信回線のうち、使用回線が最も少ない通信回線（空きが最も多い通信回線）、または、伝送速度が最も速い通信回線を自動的に選択する。
【０１０５】
画像検索装置４は、管理制御装置８に選択された通信回線に切り替えて、対象物２の画像と関連情報をユーザー端末１Ａ，１Ｂに送信する。
【０１０６】
なお、ＷｉＭＡＸと３ＧのＷ−ＣＤＭＡ以外の通信回線として、２Ｇや４Ｇや無線ＬＡＮやＷｉ−Ｆｉ等を複数使用できる。
【０１０７】
図１５は、画像検索装置４の構成を示すブロック図である。
【０１０８】
図１５に示すように、画像検索装置４は、画像情報データベース４１と、画像抽出部４２と、画像検索部４３と、合成部４４と、回線制御部４５と、を有している。
【０１０９】
画像情報データベース４１には、建物、駅、博物館、動物園、遊園地、コンサート会場等である対象物ごとに、その対象物の画像（写真）と、その対象物の関連情報と、その対象物の位置情報と、その関連情報および位置情報の保管元である関連情報管理サーバ５のＵＲＬ又はＥ−ｍａｉｌアドレスと、が対応付けて登録されている。また、画像情報データベース４１には、これらの情報が、対象物の種類（場所、物等）ごとに登録されている。
【０１１０】
画像抽出部４２は、ユーザー端末１Ａ，１Ｂから対象物２を撮影した画像を受信すると、その対象物２の画像の特徴部分を抽出し、その対象物２の種類（場所、物等）を特定する。なお、画像の特徴部分は、その特徴部分の色、形、サイズ、位置等を基に判断される。
【０１１１】
画像検索部４３は、画像情報データベース４１に登録されている画像のうち対象物２と同一種類の画像を対象とし、対象物２の画像の特徴部分の位置を移動、拡大、縮小などして、その特徴部分の色、形、サイズ、位置を比較することにより、対象物２の画像に類似する画像を検索する。検索された画像に対応付けてある関連情報および位置情報が画像情報データベース４１に存在すれば、画像検索部４３は、その関連情報を、検索された画像とともに合成部４４に渡し、その位置情報を、画像送信元のユーザー端末から受信した位置情報とともに管理制御装置８に送信して通信回線の選択要求を行う。一方、検索された画像に対応付けてある関連情報および位置情報が画像情報データベース４１に存在しなれば、画像検索部４３は、検索された画像に対応付けてあるＵＲＬ又はＥ−ｍａｉｌアドレスを基に、関連情報および位置情報の保管元である関連情報管理サーバ５へ自動的にアクセスして関連情報および位置情報の送信要求を行う。関連情報管理サーバ５から関連情報および位置情報を受信すると、画像検索部４３は、関連情報を検索された画像とともに合成部４４に渡し、位置情報を管理制御装置８に送信して通信回線の選択要求を行い、その最新の関連情報および位置情報を画像情報データベース４１に登録する。
【０１１２】
合成部４４は、画像検索部４３から渡された画像と関連情報とを合成する。
【０１１３】
回線制御部４５は、管理制御装置８の後述する通信回線選択部８４から指示された通信回線に切り替えて、合成部４４により合成された画像と関連情報を、ユーザー端末１Ａ，１Ｂに送信する。
【０１１４】
図１６は、管理制御装置８の構成を示すブロック図である。
【０１１５】
図１６に示すように、管理制御装置８は、ユーザー端末位置情報部８１と、対象物位置情報部８２と、通信回線監視部８３と、通信回線選択部８４と、ＷｉＭＡＸエリア情報格納部８５と、Ｗ−ＣＤＭＡエリア情報格納部８６と、４Ｇエリア情報格納部８７と、を有している。
【０１１６】
そして、ＷｉＭＡＸエリア情報格納部８５には、複数のＷｉＭＡＸ基地局情報＃１〜＃Ｎが格納される。更に、ＷｉＭＡＸ基地局情報＃１には、複数のＷｉＭＡＸ端末情報＃１〜＃Ｎが含まれる。ＷｉＭＡＸ基地局情報＃１〜＃Ｎや各ＷｉＭＡＸ基地局情報のＷｉＭＡＸ端末情報＃１〜＃Ｎは、位置情報や伝送速度や使用状況等である。Ｗ−ＣＤＭＡエリア情報格納部８６および４Ｇエリア情報格納部８７にも、同様の情報が格納される。
【０１１７】
なお、図１６からは省略されているが、管理制御装置８には、２Ｇエリア、無線ＬＡＮエリア、Ｗｉ−Ｆｉエリアの情報格納部も設けられている。
【０１１８】
ユーザー端末位置情報部８１は、ユーザー端末１Ａ，１Ｂが対象物２を撮影して送信した際のユーザー端末１Ａ，１Ｂの位置情報を、画像検索装置４の画像検索部４３を経由して受信する。
【０１１９】
対象物位置情報部８２は、画像検索装置４の画像検索部４３から、対象物２の位置情報を受信する。
【０１２０】
通信回線監視部８３は、ユーザー端末１Ａ，１Ｂの位置情報と、対象物２の位置情報と、ＷｉＭＡＸエリア、Ｗ−ＣＤＭＡエリア、４Ｇエリア１６等の各基地局情報および各端末情報の位置情報と、を常に監視し、ＷｉＭＡＸエリア情報格納部８５、Ｗ−ＣＤＭＡエリア情報格納部８６、４Ｇエリア情報格納部８７に登録する。
【０１２１】
通信回線選択部８４は、画像検索装置４の画像検索部４３から通信回線の選択要求を受信すると、画像送信元のユーザー端末と対象物（東京タワーの実物）２と各サービスエリアの基地局の位置情報を基に、画像送信元のユーザー端末と対象物（東京タワーの実物）２が１以上の同じサービスエリアに在圏するか否かを判定する。もし、画像送信元のユーザー端末と対象物（東京タワーの実物）２が同じサービスエリアに在圏すると判定した場合は、画像送信元のユーザー端末と対象物（東京タワーの実物）２が在圏する１つ以上のサービスエリア（ここでは、ＷｉＭＡＸエリアとＷ−ＣＤＭＡエリア）の通信回線の状況を確認し、ＷｉＭＡＸエリアとＷ−ＣＤＭＡエリアの通信回線のうち、使用回線が最も少ない通信回線（空きが最も多い通信回線）、または、伝送速度が最も速い通信回線を自動的に選択し、通信回線選択の指示情報を画像検索装置４の回線制御部４５に送信する。
【０１２２】
以下、本実施形態の撮影画像利用システムの動作について説明する。
【０１２３】
最初に、ユーザー端末１Ａ，１Ｂおよび管理制御装置８の動作について説明する。
【０１２４】
図１７は、ユーザー端末１Ａ，１Ｂおよび管理制御装置８の動作を説明するフローチャートである。
【０１２５】
図１７に示すように、ユーザー端末１Ａ，１Ｂは、対象物２を撮影すると、対象物２の画像と位置情報を画像検索装置４へ送信する（ステップＳ１）。
【０１２６】
管理制御装置８は、画像送信元のユーザー端末と対象物（東京タワーの実物）２が同じサービスエリアに在圏するか否かを判定する（ステップＳ２）。
【０１２７】
もし、画像送信元が、対象物（東京タワーの実物）２と同じサービスエリア、すなわちＷｉＭＡＸエリアおよびＷ−ＣＤＭＡエリアに跨って在圏するユーザー端末１Ａであると判定した場合、管理制御装置８は、ユーザー端末１Ａおよび対象物（東京タワーの実物）２が在圏するＷｉＭＡＸエリアおよびＷ−ＣＤＭＡエリアの通信回線の状況を確認し、ＷｉＭＡＸエリアおよびＷ−ＣＤＭＡエリアの通信回線のうち、使用回線が最も少ない通信回線（空きが最も多い通信回線）、または、伝送速度が最も速い通信回線を自動的に選択する（ステップＳ３）。
【０１２８】
その後、ユーザー端末１Ａ，１Ｂは、管理制御装置８に選択された通信回線に切り替えて、画像検索装置４から対象物２の画像と関連情報を受信する（ステップＳ５）。
【０１２９】
一方、画像送信元が、対象物（東京タワーの実物）２と異なるサービスエリアに在圏するユーザー端末１Ｂであると判定した場合、管理制御装置８は、まず、ユーザー端末１Ｂが在圏するサービスエリアを優先的に選択する（ステップＳ４）。そして、ステップＳ３において、管理制御装置８は、ステップＳ４で選択したサービスエリアの通信回線のうち、使用回線が最も少ない通信回線（空きが最も多い通信回線）、または、伝送速度が最も速い通信回線を自動的に選択することになる。
【０１３０】
次に、本実施形態の撮影画像利用システムの全体動作として、対象物（東京タワーの実物）２を撮影するユーザー端末１Ａが在圏するＷ−ＣＤＭＡエリアおよびＷｉＭＡＸエリアのうち、Ｗ−ＣＤＭＡエリア内よりもＷｉＭＡＸエリア内の方に他のユーザー端末１が多く在圏していることを前提とした動作について説明する。
【０１３１】
図１８は、本実施形態の撮影画像利用システムの全体動作の一例を説明するフローチャートであり、図１９は、図１８の動作を模式的に説明する図である。
【０１３２】
図１８および図１９に示すように、まず、ユーザー端末１Ａが対象物（東京タワーの実物）２を被写体として撮影し、画像検索ボタン１ａが押下されると、送受信部１２により対象物２の画像とユーザー端末１Ａの位置情報をＷｉＭＡＸエリアのＷｉＭＡＸ基地局９ａを経由して（ステップＣ１）、画像検索装置４に送信する（ステップＣ２）。
【０１３３】
次に、画像検索装置４は、画像検索部４３により対象物２の画像を画像情報データベース４１から検索する。その結果、検索された画像に対応付けられた関連情報および位置情報が存在すれば、画像検索装置４は、管理制御装置８にユーザー端末１Ａと対象物２の位置情報を送信して、通信回線の選択要求を行う（ステップＣ５）。これを受けて、管理制御装置８は、通信回線選択部８４によりＷｉＭＡＸエリアまたはＷ−ＣＤＭＡエリアの通信回線を選択する。ここでは、ＷｉＭＡＸエリア内の方に他のユーザー端末１が多く在圏しており、Ｗ−ＣＤＭＡエリアの通信回線の方が使用回線が少なく（空きが多い）、伝送速度が速いため、管理制御装置８は、Ｗ−ＣＤＭＡエリアの通信回線を選択し、通信回線選択の指示情報を画像検索装置４の回線制御部４５に送信する（ステップＣ６）。一方、検索された画像に対応付けられた関連情報および位置情報が存在しなければ、画像検索装置４は、画像検索部４３により検索された画像に対応付けられたＵＲＬ又はＥ−ｍａｉｌアドレスを基に関連情報管理サーバ５へ関連情報および位置情報の送信要求を行う（ステップＣ３）。これを受けて、関連情報管理サーバ５は、画像検索装置４から要求された画像の関連情報および位置情報を抽出して画像検索装置４に送信する（ステップＣ４）。管理制御装置８から通信回線選択の指示情報が受信されると、画像検索装置４は、画像検索部４３により関連情報および位置情報を画像情報データベース４１に登録するとともに、位置情報を管理制御装置８に送信して通信回線の選択要求を行い、また、合成部４４により画像と関連情報とを合成し、Ｗ−ＣＤＭＡエリアのＷ−ＣＤＭＡ基地局１０ａを経由して（ステップＣ７）、ユーザー端末１Ａに送信する（ステップＣ８）。
【０１３４】
これにより、ユーザー端末１Ａは、対象物２の関連情報を、使用回線が少なく（空きが多い）、伝送速度が速いＷ−ＣＤＭＡエリア内のＷ−ＣＤＭＡ基地局１０ａを経由して受信するため、対象物２の関連情報を高速ダウンロードで取得することができる。
【０１３５】
次に、本実施形態の撮影画像利用システムの全体動作として、対象物（東京タワーの実物）２を撮影するユーザー端末１Ａが在圏するＷ−ＣＤＭＡエリアおよびＷｉＭＡＸエリアのうち、ＷｉＭＡＸエリア内よりもＷ−ＣＤＭＡエリア内の方に他のユーザー端末１が多く在圏していることを前提とした動作について説明する。
【０１３６】
図２０は、本実施形態の撮影画像利用システムの全体動作の他の例を説明するフローチャートであり、図２１は、図２０の動作を模式的に説明する図である。
【０１３７】
図２０および図２１に示すように、まず、ユーザー端末１Ａが対象物（東京タワーの実物）２を被写体として撮影し、画像検索ボタン１ａが押下されると、送受信部１２により対象物２の画像とユーザー端末１Ａの位置情報をＷ−ＣＤＭＡエリアのＷ−ＣＤＭＡ基地局１０ａを経由して（ステップＤ１）、画像検索装置４に送信する（ステップＤ２）。
【０１３８】
次に、画像検索装置４は、画像検索部４３により対象物２の画像を画像情報データベース４１から検索する。その結果、検索された画像に対応付けられた関連情報および位置情報が存在すれば、画像検索装置４は、管理制御装置８にユーザー端末１Ａと対象物２の位置情報を送信して、通信回線の選択要求を行う（ステップＤ５）。これを受けて、管理制御装置８は、通信回線選択部８４によりＷｉＭＡＸエリアまたはＷ−ＣＤＭＡエリアの通信回線を選択する。ここでは、Ｗ−ＣＤＭＡエリア内の方に他のユーザー端末１が多く在圏しており、ＷｉＭＡＸエリアの通信回線の方が使用回線が少なく（空きが多い）、伝送速度が速いため、管理制御装置８は、ＷｉＭＡＸエリアの通信回線を選択し、通信回線選択の指示情報を画像検索装置４の回線制御部４５に送信する（ステップＤ６）。一方、検索された画像に対応付けられた関連情報および位置情報が存在しなければ、画像検索装置４は、画像検索部４３により検索された画像に対応付けられたＵＲＬ又はＥ−ｍａｉｌアドレスを基に関連情報管理サーバ５へ関連情報および位置情報の送信要求を行う（ステップＤ３）。これを受けて、関連情報管理サーバ５は、画像検索装置４から要求された画像の関連情報および位置情報を抽出して画像検索装置４に送信する（ステップＤ４）。管理制御装置８から通信回線選択の指示情報が受信されると、画像検索装置４は、画像検索部４３により関連情報および位置情報を画像情報データベース４１に登録するとともに、位置情報を管理制御装置８に送信して通信回線の選択要求を行い、また、合成部４４により画像と関連情報とを合成して、ＷｉＭＡＸエリアのＷｉＭＡＸ基地局９ａを経由して（ステップＤ７）、ユーザー端末１Ａに送信する（ステップＤ８）。
【０１３９】
これにより、ユーザー端末１Ａは、対象物２の関連情報を、使用回線が少なく（空きが多い）、伝送速度が速いＷｉＭＡＸエリア内のＷｉＭＡＸ基地局９ａを経由して受信するため、対象物２の関連情報を高速ダウンロードで取得することができる。
【０１４０】
図２２は、画像情報データベース４１に登録された画像情報の一例を示す図である。
【０１４１】
図２２に示すように、画像情報データベース４１には、対象物ごとに、その対象物の画像（写真）と、その対象物の名称と、その対象物のＱＲコード化された関連情報と、その関連情報の保管元である関連情報管理サーバ５のＵＲＬおよびＥ−ｍａｉｌアドレスと、その対象物の緯度や経度などの位置情報と、が対応付けて登録されている。
【０１４２】
上述したように本実施形態においては、ユーザー端末１Ａ，１Ｂが対象物２の画像を送信した際に、管理制御装置８は、画像送信元のユーザー端末と対象物（東京タワーの実物）２が同じサービスエリアに在圏するか否かを判定する。もし、画像送信元が対象物（東京タワーの実物）２と同じサービスエリアに在圏するユーザー端末１Ａであると判定した場合は、ユーザー端末１Ａおよび対象物（東京タワーの実物）２が在圏するサービスエリアの通信回線のうち、使用回線が最も少ない通信回線（空きが最も多い通信回線）または伝送速度が最も速い通信回線を自動的に選択して切り替える。一方、画像送信元が対象物（東京タワーの実物）２と異なるサービスエリアに在圏するユーザー端末１Ｂであると判定した場合は、ユーザー端末１Ｂが在圏するサービスエリアを優先的に選択し、選択したサービスエリアの通信回線のうち、使用回線が最も少ない通信回線（空きが最も多い通信回線）または伝送速度が最も速い通信回線を自動的に選択して切り替える。
したがって、ユーザー端末１Ａ，１Ｂは、対象物２の関連情報を高速ダウンロードで取得することができるという効果が得られる。
【０１４３】
なお、本実施形態においては、ユーザーが、ユーザー端末１Ａにより撮影した対象物２の画像を、本２１や、新聞、記事、雑誌などの刊行物に掲載することも考えられる。このような場合、ユーザーは、対象物２に関係する会社（ここでは、関連情報管理サーバ５を運営する会社）へ事前に画像の登録申請を行い、登録認識情報を取得する。
【０１４４】
図２３は、ユーザー端末１Ａにより撮影された画像の登録認識情報を説明する図である。
【０１４５】
この場合、ユーザー端末１Ａは、ユーザーが対象物２を刊行物に掲載する前に、関連情報管理サーバ５に対象物２の画像の登録要求を送信して画像の登録申請を行う。関連情報管理サーバ５は、関連情報管理サーバ５を運営する会社により画像の使用が許可された場合、登録認識情報１５１をユーザー端末１および画像検索装置４に送信し、ユーザー端末１および画像検索装置４は、登録認識情報１５１を登録する。登録認識情報１５１とは、ロゴマーク、文字、英数字、絵、バーコード、ＱＲコード、ＵＲＬ、暗号化コード、Ｅ−ｍａｉｌなどの識別情報である。
【０１４６】
ユーザー端末１Ａは、対象物２の画像の一部に登録認識情報１５１を付加して画像検索装置４へ送信することで、画像検索装置４から対象物２の関連情報を取得する。ユーザーは、図２３に示すように、対象物２の関連情報を、画像および登録認識情報１５１とともに、本２１や、新聞、記事、雑誌などの刊行物に掲載する。
【０１４７】
なお、登録認識情報１５１を掲載する箇所は、図２３では画像の右下としたが、特に限定されない。
【０１４８】
また、他のユーザー端末１が登録認識情報１５１を使った対象物２の画像を基にして目的地の入り口を通過して決算処理が行われた場合には、事前に登録認識情報１５１の登録申請をしたユーザーに対して、宣伝広告料として、登録申請した会社から利用回数の何割の代金が支払われる。
【０１４９】
また、本実施形態においては、ユーザー端末１が画像撮影を行った対象物２の関連情報を、図１４に示した、ユーザー端末１と同一ユーザーが使用するコンピュータやサーバである情報処理装置１４４で管理することも考えられる。
【０１５０】
図２４は、図１４に示した情報処理装置１４４にて管理される関連情報の管理テーブルを説明する図である。
【０１５１】
ユーザー端末１が撮影した画像を基にして目的地の入り口を通過し、決算処理が行われると、情報処理装置１４４に対し自動的に対象物の画像、その対象物の関連情報、決算の内容が送信され、情報処理装置１４４に保存される。これらの情報が情報処理装置１４４に自動的に送信されるようにするため、画像検索装置４および決算処理サーバ６には事前に情報処理装置１４４のアドレス情報を設定しておく。
【図面の簡単な説明】
【０１５２】
【図１】本発明の第１の実施形態の撮影画像利用システムの構成を示す図である。
【図２】図１に示したユーザー端末による撮影動作の一例を説明する図である。
【図３】図１に示したユーザー端末による撮影動作の他の例を説明する図である。
【図４】図１に示したユーザー端末の機能を説明する図である。
【図５】図１に示した画像検索装置の構成を示すブロック図である。
【図６】図５に示した画像情報データベースに登録された画像情報の一例を示す図である。
【図７】図１に示したユーザー端末の構成を示すブロック図である。
【図８】図１に示したユーザー端末の画面に表示される画像検索結果の一例を示す図である。
【図９】図１に示したユーザー端末がゲート装置を通過することを許可する動作の一例を説明する図である。
【図１０】図１に示したユーザー端末がゲート装置を通過することを許可する動作の他の例を説明する図である。
【図１１】図１に示した撮影画像利用システムの全体動作の一例を説明するフローチャートである。
【図１２】図１１に示した動作を模式的に説明する図である。
【図１３】図１に示した撮影画像利用システムの全体動作の他の例を説明するフローチャートである。
【図１４】本発明の第２の実施形態の撮影画像利用システムの構成を示す図である。
【図１５】図１４に示した画像検索装置の構成を示すブロック図である。
【図１６】図１４に示した管理制御装置の構成を示すブロック図である。
【図１７】図１４に示したユーザー端末および管理制御装置の動作の一例を説明するフローチャートである。
【図１８】図１４に示した撮影画像利用システムの全体動作の一例を説明するフローチャートである。
【図１９】図１８に示した動作を模式的に説明する図である。
【図２０】図１４に示した撮影画像利用システムの全体動作の他の例を説明するフローチャートである。
【図２１】図２０に示した動作を模式的に説明する図である。
【図２２】図１５に示した画像情報データベースに登録された画像情報の一例を示す図である。
【図２３】図１４に示したユーザー端末により撮影された画像の登録認識情報を説明する図である。
【図２４】図１４に示した情報処理装置にて管理される関連情報の管理テーブルを説明する図である。
【符号の説明】
【０１５３】
１，１Ａ，１Ｂ    ユーザー端末
１１    アンテナ
１２    送受信部
１３    制御部
１４    カメラ
１５    スピーカー
１６    表示部
１７    記憶部
１８    操作部
１９    ＲＦＩＤタグ
１ａ    画像検索ボタン
２    対象物（被写体）
２１    本（刊行物）
２ａ    ゲート装置
３    ネットワーク
４    画像検索装置
４１    画像情報データベース
４２    画像抽出部
４３    画像検索部
４４    合成部
５    関連情報管理サーバ
６    決算処理サーバ
７    ＲＦＩＤリーダ
８    管理制御装置
８１    ユーザー端末位置情報部
８２    対象物位置情報部
８３    通信回線監視部
８４    通信回線選択部
８５    ＷｉＭＡＸエリア情報格納部
８６    Ｗ−ＣＤＭＡエリア情報格納部
８７    ４Ｇエリア情報格納部
９ａ    ＷｉＭＡＸ基地局
１０ａ，１０ｂ    Ｗ−ＣＤＭＡ基地局
１００    衛星
１４４    情報処理装置
【図１】
2008210364.tif 000003
【図２】
2008210364.tif 000004
【図３】
2008210364.tif 000005
【図４】
2008210364.tif 000006
【図５】
2008210364.tif 000007
【図７】
2008210364.tif 000008
【図９】
2008210364.tif 000009
【図１０】
2008210364.tif 000010
【図１１】
2008210364.tif 000011
【図１２】
2008210364.tif 000012
【図１３】
2008210364.tif 000013
【図１４】
2008210364.tif 000014
【図１５】
2008210364.tif 000015
【図１６】
2008210364.tif 000016
【図１７】
2008210364.tif 000017
【図１８】
2008210364.tif 000018
【図１９】
2008210364.tif 000019
【図２０】
2008210364.tif 000020
【図２１】
2008210364.tif 000021
【図２３】
2008210364.tif 000022
【図２４】
2008210364.tif 000023
【図６】
2008210364.tif 000024
【図８】
2008210364.tif 000025
【図２２】
2008210364.tif 000026